(57)【特許請求の範囲】
【請求項１】
ハードディスクに設定されたソースデータをデータ記憶媒体にマルチセッションで入力するデータ入力装置において、前記記憶媒体は規格が相違する各種データが混在しており、前記データ記憶媒体のデータ記憶の論理フォーマット構造を検出する構造検出手段と、該構造検出手段が検出した論理フォーマット構造を示す画像データを生成する画像生成手段と、該画像生成手段が生成した画像データをディスプレイに表示出力する画像出力手段と、を設けたことを特徴とするデータ入力装置。
【発明の詳細な説明】
【０００１】
【産業上の利用分野】
本発明は、ＣＤの作成などに利用されるデータ入力装置に関するものである。
【０００２】
【従来の技術】
従来、各種データが入力自在なデータ記憶媒体として、例えば、ＣＤ−Ｒ（Ｃｏｍｐａｃｔ  Ｄｉｓｋ−Ｒｅｃｏｄｅｒａｂｌｅ）などが実用化されており、このようなデータ記憶媒体にハードディスクであるＨＤ（Ｈａｒｄ  Ｄｉｓｋ）のソースデータを入力するデータ入力装置も実施されている。そして、このようなデータ入力装置は、ＨＤのソースデータをＣＤ−Ｒの一つであるＣＤ−ＤＡ（Ｃｏｍｐａｃｔ  Ｄｉｓｋ−Ｄｉｇｉｔａｌ  Ａｕｄｉｏ）などにリアルタイムに入力するようになっている。
【０００３】
ここで、このようなデータ入力装置では、ＨＤのソースデータを追記型のＣＤに入力する際、そのシミュレーションをＨＤのメモリ空間で仮想実験するなどして所要時間を概算し、この所要時間をディスプレイに表示出力するようになっている。そこで、このディスプレイに表示出力された所要時間を視認することで、利用者はデータ入力の終了時間を確認できるようになっている。
【０００４】
ここで、現在ではＨＤにマルチパーティションで予め設定されたソースデータを、ＣＤ等のデータ記憶媒体にマルチセッションで入力するデータ入力装置が実用化されている。このようなマルチパーティションのＣＤでは、規格が相違する各種データも混在させることができるので、メディアとしての自由度が向上しており、このようなマルチパーティションのソースデータをＨＤからＣＤに入力する際、これをマルチセッションとすることで利用者の操作負担を軽減するようになっている。
【０００５】
【発明が解決しようとする課題】
上述のようなデータ入力装置では、ＨＤにマルチパーティションで予め設定されたソースデータを、ＣＤ等のデータ記憶媒体にマルチセッションで入力できるようになっている。
【０００６】
そして、このようなデータ入力装置においてデータ入力を開始する際に、その所要時間を前述のような方法で概算して表示出力することは可能であるが、このように概算した所要時間しか利用者に提供しないのでは、マルチパーティションのデータ記憶媒体を有効に利用することが困難である。
【０００７】
また、上述のようなデータ入力装置では、データ入力が完了したデータ記憶媒体に、いくつのセッションでいくつのパーティションが形成されたかを利用者が確認することが困難で利便性が低下している。
【０００８】
さらに、上述のようにマルチパーティションのデータ記憶媒体では、規格が相違する各種データを混在させることができるが、このような場合のデータ記憶の論理構造を利用者が確認することが困難で利便性が低下している。
【０００９】
【課題を解決するための手段】
請求項１記載の発明は、ハードディスクに設定されたソースデータをデータ記憶媒体にマルチセッションで入力するデータ入力装置において、前記記憶媒体は規格が相違する各種データが混在しており、前記データ記憶媒体のデータ記憶の論理フォーマット構造を検出する構造検出手段と、該構造検出手段が検出した論理フォーマット構造を示す画像データを生成する画像生成手段と、該画像生成手段が生成した画像データをディスプレイに表示出力する画像出力手段と、を設けた。
【００１５】
【作用】
請求項１記載の発明によれば、検出した論理構造の画像データをディスプレイで表示することができ、ディスプレイを確認することによって、コンパクトディスクに記録されているデータの論理フォーマットを知ることができる。つまり、現在記録されているデータの論理フォーマットを確認することで、今後、表示されているコンパクトディスクに追記が可能か否かの情報を確認することができる。
【００１９】
【実施例】
本発明の一実施例を図面に基づいて以下に説明する。まず、このデータ入力装置であるコンピュータシステム１は、図１に例示するように、ホストコンピュータ２に別体のＣＤＤ（Ｃｏｍｐａｃｔ  Ｄｉｓｋ  Ｄｒｉｖｅ）３を組合せた構造となっている。
【００２０】
そこで、前記ホストコンピュータ２は、各種のデータ処理を実行するＣＰＵ（Ｃｅｎｔｒａｌ  Ｐｒｏｃｅｓｓｉｎｇ  Ｕｎｉｔ）４に、各種データが更新不能に予め設定されたＲＯＭ（Ｒｅａｄ  Ｏｎｌｙ  Ｍｅｍｏｒｙ）５、各種データを更新自在に一時記憶するＲＡＭ（Ｒａｎｄｏｍ  Ａｃｃｅｓｓ  Ｍｅｍｏｒｙ）６、各種データが入力操作されるキーボード７、各種データを表示出力するディスプレイ８、各種データを印字出力するプリンタ９、ハードディスクであるＨＤ１０を駆動して各種データを入出力するＨＤＤ（Ｈａｒｄ  Ｄｉｓｋ  Ｄｒｉｖｅ）１１、各種データの入出力を制御するＩ／Ｆ（Ｉｎｔｅｒｆａｃｅ）１２等を、システムバス１３で接続した構造となっている。
【００２１】
そして、上述のような構造のホストコンピュータ２の前記Ｉ／Ｆ１２に接続コネクタ１４で前記ＣＤＤ３が接続されており、このＣＤＤ３は、データ記憶媒体であり追記型のコンパクトディスクであるＣＤ１５に各種データを入出力するようになっている。
【００２２】
そこで、このコンピュータシステム１では、前記ＣＤ１５に対するデータ入力の作業完了までの残存時間を逐次検出する時間検出手段が、前記ＣＤＤ３や前記ＣＰＵ４や前記ＲＯＭ５や前記ＲＡＭ６や前記ＨＤＤ１１等のハードウェアと、前記ＲＯＭ５や前記ＲＡＭ６に予め設定された所定のソフトウェアとで形成されており、この時間検出手段が検出した残存時間を前記ディスプレイ８で逐次表示する時間表示手段が、前記ＣＰＵ４や前記ＲＯＭ５や前記ＲＡＭ６等のハードウェアと、前記ＲＯＭ５や前記ＲＡＭ６に予め設定された所定のソフトウェアとで形成されている。
【００２３】
また、このコンピュータシステム１では、前記ＨＤ１０からソースデータがマルチセッションで順次入力される前記ＣＤ１５の残存容量を逐次検出する残量検出手段が、前記ＣＰＵ４や前記ＲＯＭ５や前記ＲＡＭ６や前記ＣＤＤ３等のハードウェアと、前記ＲＯＭ５や前記ＲＡＭ６に予め設定された所定のソフトウェアとで形成されており、この残量検出手段が検知した残存容量を前記ディスプレイ８で逐次表示する残量表示手段が、前記ＣＰＵ４や前記ＲＯＭ５や前記ＲＡＭ６等のハードウェアと、前記ＲＯＭ５や前記ＲＡＭ６に予め設定された所定のソフトウェアとで形成されている。
【００２４】
さらに、このコンピュータシステム１では、前記ＨＤ１０にマルチパーティションで予め設定されたソースデータをＣＤ１５にマルチセッションで入力する際、その作業の実行状態に対応して履歴データを逐次生成する履歴生成手段が、前記ＣＰＵ４や前記ＲＯＭ５や前記ＲＡＭ６等のハードウェアと、前記ＲＯＭ５や前記ＲＡＭ６に予め設定された所定のソフトウェアとで形成されており、このような履歴生成手段が生成する履歴データを順次蓄積する履歴記憶手段が、前記ＲＡＭ６の記憶エリアに履歴ファイル（図示せず）として形成されている。
【００２５】
また、このコンピュータシステム１では、ＲＡＭ６の履歴ファイルに蓄積された履歴データをディスプレイ８で表示出力する履歴表示手段と、ＲＡＭ６の履歴ファイルに蓄積された履歴データを前記プリンタ９で印字出力する履歴印字手段とが、前記ＣＰＵ４や前記ＲＯＭ５や前記ＲＡＭ６等のハードウェアと、前記ＲＯＭ５や前記ＲＡＭ６に予め設定された所定のソフトウェアとで形成されている。
【００２６】
さらに、このコンピュータシステム１では、前記ＣＤ１５のデータ記憶の論理構造を検出する構造検出手段が、前記ＣＤＤ３や前記ＣＰＵ４や前記ＲＯＭ５や前記ＲＡＭ６等のハードウェアと、前記ＲＯＭ５や前記ＲＡＭ６に予め設定された所定のソフトウェアとで形成されており、この構造検出手段が検出した論理構造に基づいて画像データを生成する画像生成手段と、この画像生成手段が生成した画像データをディスプレイ８で表示出力する画像出力手段とが、前記ＣＰＵ４や前記ＲＯＭ５や前記ＲＡＭ６等のハードウェアと、前記ＲＯＭ５や前記ＲＡＭ６に予め設定された所定のソフトウェアとで形成されている。
【００２７】
このような構成において、このコンピュータシステム１で、ＨＤ１０にマルチパーティションで予め設定されたソースデータをＣＤ１５にマルチセッションで入力する場合の処理動作を以下に順次説明する。まず、キーボード７の入力操作に従ってデータ入力の処理動作をスタンバイするＣＰＵ４は、ＨＤ１０のパーティション構造などの現状を検出して初期画面の画像データを生成し、これをディスプレイ８で表示出力することになる。そこで、このコンピュータシステム１のディスプレイ８には、図２に例示するように、ＨＤ１０のパーティションデータ１６、その合計時間１７、その合計サイズ１８などが初期画面として表示出力される。そして、このようにしてディスプレイ８に表示出力される、ＨＤ１０のパーティションデータ１６は、マルチセッションによるデータ入力のプルダウンメニューとなっているので、これを利用者はキーボード７の入力操作で選択的に指定することになる。
【００２８】
すると、この入力操作を検知したＣＰＵ４は、指定されたマルチセッションによりＨＤ１０からＣＤ１５にソースデータを入力する作業の所要時間を残存時間として検出し、ＣＤ１５のパーティション構造や残存容量などの現状を検出し、これら各種データに基づいて画像データを生成する。そこで、このコンピュータシステム１のディスプレイ８には、図３に例示するように、ＣＤ１５に入力されているデータのトータルサイズ１９、その相対時間であるトータルタイム２０、ＣＤ１５の残存容量であるリマインドサイズ２１、この残存容量を相対時間として表現したリマインドタイム２２、選定されたセッションの名称２３、そのセッションで個々に入力されるデータのサイズ２４、このデータ入力に必要なタイム２５、データ入力の作業完了までの残存時間であるカウント２６等が表示出力されることになる。
【００２９】
そこで、このような作業画面を表示出力したコンピュータシステム１は、選定されたパーティションのソースデータをＨＤ１０からＣＤ１５にマルチセッションで順次入力することになるが、この時、実行するデータ入力に対応して作業完了までの残存時間とＣＤ１５の残存容量とを逐次検出し、この検出した残存時間と残存容量とに基づいてディスプレイ８に表示出力したカウント２６とリマインドサイズ２１とリマインドタイム２２とを逐次更新する。
【００３０】
このようにすることで、このコンピュータシステム１では、利用者はデータ入力の作業完了までの所要時間を正確にリアルタイムで確認することができるので、自身の作業時間を有効利用することができて利便性が良好であり、データ入力されるＣＤ１５の残存容量もリアルタイムで正確に確認することができるので、マルチセッションのＣＤ１５を有効に利用することが可能となる。
【００３１】
また、このコンピュータシステム１では、上述のようなマルチセッションによりＨＤ１０のソースデータをＣＤ１５に入力する際、一つのセッションか一つのパーティションかが終了する毎に履歴データとしてオーダーログを生成し、このオーダーログをＲＡＭ６の履歴ファイルに格納するようになっている。そして、このコンピュータシステム１では、所望によりキーボード７で所定の入力操作を実行することで、上述のようにＲＡＭ６の履歴ファイルに蓄積されたオーダーログを、図４に例示するように、ディスプレイ８の表示レポート２７やプリンタ９の印字レポート（図示せず）として出力することができる。
【００３２】
このようにすることで、このコンピュータシステム１では、利用者はＨＤ１０のマルチパーティションのソースデータをＣＤ１５に入力したマルチセッションの作業内容を正確に確認することができるので、その利便性と管理性とが良好である。例えば、このようなコンピュータシステム１を、オーダーでＣＤ−ＲＯＭを作成する業務用などとして利用するような場合、上述のようにすることで作業履歴を管理することができる。
【００３３】
さらに、このコンピュータシステム１では、上述のようにＨＤ１０のソースデータをマルチセッションでＣＤ１５に入力した場合、このＣＤ１５のマルチセッションによるデータ記憶の論理構造を検出し、図５に例示するように、この検出した論理構造に基づいて生成した画像データ２８をディスプレイ８で表示出力することもできる。
【００３４】
このようにすることで、このコンピュータシステム１では、マルチセッションでデータ入力するＣＤ１５に規格が相違する各種データを混在させるような場合、このようなＣＤ１５のデータ記憶の論理構造を利用者が容易に認識することができ、ＣＤ１５のパーティションの比率なども容易に認識することができるので、その利便性が良好である。
【００３５】
特に、このようなコンピュータシステム１において、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）９６６０マルチセッションで、ディレクトリ構造を入力する場合のレイアウトが必要な場合などに、上述のようなＣＤ１５の論理構造の画像データ２８の表示出力は有効である。
【００３６】
【発明の効果】
請求項１記載の発明は、ハードディスクに設定されたソースデータをデータ記憶媒体にマルチセッションで入力するデータ入力装置において、前記記憶媒体は規格が相違する各種データが混在しており、前記データ記憶媒体のデータ記憶の論理フォーマット構造を検出する構造検出手段と、該構造検出手段が検出した論理フォーマット構造を示す画像データを生成する画像生成手段と、該画像生成手段が生成した画像データをディスプレイに表示出力する画像出力手段と、を設けたことにより、検出した論理構造の画像データをディスプレイで表示することができ、ディスプレイを確認することによって、コンパクトディスクに記録されているデータの論理フォーマットを知ることができる。つまり、現在記録されているデータの論理フォーマットを確認することで、今後、表示されているコンパクトディスクに追記が可能か否かの情報を確認することができる等の効果を有するものである。
【００３７】
請求項２記載の発明は、ハードディスクにマルチパーティションで予め設定されたソースデータをデータ記憶媒体にマルチセッションで入力するデータ入力装置において、各種データを表示出力するディスプレイを設け、前記ハードディスクからソースデータがマルチセッションで順次入力される前記データ記憶媒体の残存容量を逐次検出する残量検出手段を設け、この残量検出手段が検知した残存容量を前記ディスプレイで逐次表示する残量表示手段を設けたことにより、利用者はデータ入力されるデータ記憶媒体の残存容量をリアルタイムで正確に確認することができるので、マルチパーティションのデータ記憶媒体を有効に利用することが可能となる等の効果を有するものである。
【００３８】
請求項３記載の発明は、請求項１又は２記載の発明において、ハードディスクにマルチパーティションで予め設定されたソースデータをデータ記憶媒体にマルチセッションで入力する作業の実行状態に対応して履歴データを逐次生成する履歴生成手段を設け、この履歴生成手段が生成する履歴データを順次蓄積する履歴記憶手段を設けたことにより、マルチセッションによるデータ入力の作業内容を記録しておくことができるので、この作業状態の履歴データを利用者に提供することができる等の効果を有するものである。
【００３９】
請求項４記載の発明は、請求項３記載の発明において、各種データを表示出力するディスプレイを設け、履歴記憶手段に蓄積された履歴データを前記ディスプレイで表示出力する履歴表示手段を設けたことにより、利用者はマルチセッションによるデータ入力の作業内容を確認することができるので、その作業状態を正確に管理することができる等の効果を有するものである。
【００４０】
請求項５記載の発明は、請求項３記載の発明において、各種データを印字出力するプリンタを設け、履歴記憶手段に蓄積された履歴データを前記プリンタで印字出力する履歴印字手段を設けたことにより、利用者はマルチセッションによるデータ入力の作業内容を確認することができるので、その作業状態を正確に管理することができる等の効果を有するものである。
【００４１】
請求項６記載の発明は、ハードディスクにマルチパーティションで予め設定されたソースデータをデータ記憶媒体にマルチセッションで入力するデータ入力装置において、各種データを表示出力するディスプレイを設け、前記データ記憶媒体を追記型のコンパクトディスクで形成し、このコンパクトディスクのデータ記憶の論理構造を検出する構造検出手段を設け、この構造検出手段が検出した論理構造に基づいて画像データを生成する画像生成手段を設け、この画像生成手段が生成した画像データをディスプレイで表示出力する画像出力手段を設けたことにより、マルチパーティションでデータ入力するデータ記憶媒体に規格が相違する各種データを混在させるような場合でも、その論理構造を利用者が容易に認識することができる等の効果を有するものである。
【図面の簡単な説明】
【図１】本発明のデータ入力装置の一実施例であるコンピュータシステムを例示するブロック図である。
【図２】残存時間と残存容量とを表示出力したディスプレイの表示画面を例示する正面図である。
【図３】ディスプレイの表示画面を例示する正面図である。
【図４】履歴データを表示出力したディスプレイの表示画面を例示する正面図である。
【図５】論理構造を表示出力したディスプレイの表示画面を例示する正面図である。
【符号の説明】
１            データ入力装置
３〜６        残量検出手段、構造検出手段
３〜６，１１  時間検出手段
４〜６        時間表示手段、残量表示手段、履歴生成手段、履歴表示手段、履歴印字手段、画像生成手段、画像出力手段
６            履歴記憶手段
８            ディスプレイ
９            プリンタ
１０          ハードディスク
１５          データ記憶媒体、コンパクトディスク
【図１】
0003559301.tif 000002
【図２】
0003559301.tif 000003
【図３】
0003559301.tif 000004
【図４】
0003559301.tif 000005
【図５】
0003559301.tif 000006